(57)【要約】【課題】自動的な電源制御を行うと共に、無駄な電力消費を生じさせずに省電力に配慮されたリムーバブルディスクドライブ装置を実現する。【解決手段】制御手段１０１は、電力供給検知手段１０５の検知結果と記録媒体検知手段１０７の検知結果とを参照し、インタフェースを介して外部機器から電力供給が可能な状態になっており、該リムーバブルディスクドライブ装置内に記録媒体が装着されている場合には、該リムーバブルディスクドライブ装置を稼働状態に制御する。また、インタフェースを介して外部機器から電力供給が可能な状態なっていない場合、あるいは、該リムーバブルディスクドライブ装置を待機状態に制御し、該リムーバブルディスクドライブ装置内に記録媒体が装着されていない場合には、該リムーバブルディスクドライブ装置を待機状態に制御する。【選択図】      図１
2004152344.tif 000002
【特許請求の範囲】
【請求項１】
他の機器との間でデータ転送と電力供給授受とがケーブルを介して可能に構成されたバスを備えたリムーバブルディスクドライブ装置であって、
該リムーバブルディスクドライブ装置内に記録媒体が装着されているか否かを検知する記録媒体検知手段と、
各部の動作状態を制御する制御手段とを備え、
前記制御手段は、前記記録媒体検知手段の検知結果を参照し、
該リムーバブルディスクドライブ装置内に記録媒体が装着されている場合には、該リムーバブルディスクドライブ装置を稼働状態に制御し、該リムーバブルディスクドライブ装置内に記録媒体が装着されていない場合には、該リムーバブルディスクドライブ装置を待機状態に制御する、
ことを特徴とするリムーバブルディスクドライブ装置。
【請求項２】
他の機器との間でデータ転送と電力供給授受とがケーブルを介して可能に構成されたバスを備えたリムーバブルディスクドライブ装置であって、
前記インタフェースを介した外部機器からの電力供給の有無を検知する電源供給検知手段と、
該リムーバブルディスクドライブ装置内に記録媒体が装着されているか否かを検知する記録媒体検知手段と、
各部の動作状態を制御する制御手段とを備え、
前記制御手段は、前記電力供給検知手段の検知結果と前記記録媒体検知手段の検知結果とを参照し、前記インタフェースを介して外部機器から電力供給が可能な状態になっており、該リムーバブルディスクドライブ装置内に記録媒体が装着されている場合には、該リムーバブルディスクドライブ装置を稼働状態に制御し、前記インタフェースを介して外部機器から電力供給が可能な状態なっていない場合には、該リムーバブルディスクドライブ装置を待機状態に制御し、該リムーバブルディスクドライブ装置内に記録媒体が装着されていない場合には、該リムーバブルディスクドライブ装置を待機状態に制御する、
ことを特徴とするリムーバブルディスクドライブ装置。
【請求項３】
前記バスによりデータ転送を行うためのインタフェース回路を備え、
前記制御手段は、該リムーバブルディスクドライブ装置を稼働状態にする際には前記インタフェース回路を動作状態にし、該リムーバブルディスクドライブ装置を待機状態にする際には前記インタフェース回路を停止状態にする、
ことを特徴とする請求項１または請求項２のいずれかに記載のリムーバブルディスクドライブ装置。
【請求項４】
前記記録媒体に設けられた書き込み許可／禁止ノッチの状態を検出する書き込み可否状態検出手段を備え、
前記制御手段は、前記記録媒体の装着の有無の検知として、前記書き込み可否状態検知手段の検知結果を用いる、
ことを特徴とする請求項１乃至請求項３のいずれかに記載のリムーバブルディスクドライブ装置。
【発明の詳細な説明】
【０００１】
【発明の属する技術分野】
本発明は挿抜自在な記録媒体を用いるリムーバブルディスクドライブ装置に関し、特に、他の機器（ＰＣ）との間でデータ転送と電力供給授受とが可能に構成されたＵＳＢなどのバスを備えたリムーバブルディスクドライブ装置に関する。
【０００２】
【従来の技術】
光磁気（ＭＯ）ディスクや光ディスクなどを挿抜可能な状態で扱えるリムーバブルディスクドライブ装置などのコンピュータ周辺機器の場合、コンピュータなどの他の機器（ホストＰＣ）との間でデータ転送と電力供給授受とが可能に構成されたＵＳＢ（Ｕｎｉｖｅｒｓａｌ  Ｓｅｒｉａｌ  Ｂｕｓ）などのバスを備えたものが存在している。
【０００３】
このような周辺機器としてのリムーバブルディスクドライブ装置１００をＵＳＢインタフェースによりホストＰＣ３００に接続する場合、図３に示すように、ＵＳＢインタフェースケーブル２００により接続する。
【０００４】
この図３のように接続することで、ＰＣ３００とリムーバブルディスクドライブ装置１００でのデータ転送と、ホストＰＣ３００からリムーバブルディスクドライブ装置１００への電力供給とを、ＵＳＢインタフェースケーブル２００によって同時に行うことが可能になる。なお、このような接続は、バスパワー方式と呼ばれている。
【０００５】
また、ＵＳＢインタフェースの場合、Ｄａｔａ＋，Ｄａｔａ−，ＧＮＤ，ＶＢＵＳのピンアサインが定められており、ＶＢＵＳのピンを介して５Ｖ，０．５Ａ（２．５Ｗ）までの電力を供給することが可能なように規格が定められている。
【０００６】
一方、２．５Ｗ以上の電力が必要となる場合には、図４に示すようなセルフパワー方式と呼ばれる接続を行う。すなわち、ＰＣ３００とリムーバブルディスクドライブ装置１００の間でＵＳＢインタフェースケーブル２００でデータ転送を行い、リムーバブルディスクドライブ装置１００の電力はＡＣアダプタ４００などの専用電源を用意する。
【０００７】
従来のリムーバブルディスクドライブ装置では、電源スイッチによって電源ＯＮ／ＯＦＦをするものが存在している（▲１▼）。また、従来のリムーバブルディスクドライブ装置として、電源スイッチによって電源ＯＮ／ＯＦＦをする代わりに、バスを介してホストＰＣから電力供給される端子の電圧を監視しておき、その電圧の有無で電源ＯＮ／ＯＦＦをするものが存在している（▲２▼）。
【０００８】
すなわち、バスの所定の端子に電圧が現れれば、ホストＰＣが稼働しており、ホストＰＣとリムーバブルディスクドライブ装置との間のインタフェースケーブルも接続されていることを意味している。また、バスの所定の端子に電圧が無くなれば、ホストＰＣが停止するか、あるいは、ホストＰＣとリムーバブルディスクドライブ装置との間のインタフェースケーブルが抜かれたことを意味している。
【０００９】
なお、リムーバブルディスクドライブ装置において、以上の▲１▼のように電源の管理を行うことが、本件出願人が既に出願した以下の特許文献１に述べられている。
【００１０】
【特許文献１】
特開２００１−３５０５４８号公報（第３頁〜第５頁、図１）
【００１１】
【発明が解決しようとする課題】
以上のように、ホストＰＣからの電源供給を検知することでリムーバブルディスクドライブ装置の電源ＯＮ／ＯＦＦ管理を行うことによって、ホストＰＣを使用していないときやケーブルを接続していないときの無駄な電源投入を避けることができる。
【００１２】
しかし、以上の電源制御方式によれば、リムーバブルディスクドライブ装置内に記録媒体がセットされていなくても、ホストＰＣが立ち上がっていればリムーバブルディスクドライブ装置の電源が常時オン状態になってしまう。このため、リムーバブルディスクドライブ装置側では、無駄な電力消費が生じ易い問題がある。
【００１３】
本発明は以上の課題に鑑みてなされたものであって、自動的な電源制御を行うと共に、無駄な電力消費を生じさせずに省電力に配慮されたリムーバブルディスクドライブ装置を実現することを目的とする。
【００１４】
【課題を解決するための手段】
すなわち、上記の課題を解決する手段としての本願発明は以下に述べるようなものである。
【００１５】
（１）請求項１記載の発明は、他の機器との間でデータ転送と電力供給授受とがケーブルを介して可能に構成されたバスを備えたリムーバブルディスクドライブ装置であって、該リムーバブルディスクドライブ装置内に記録媒体が装着されているか否かを検知する記録媒体検知手段と、各部の動作状態を制御する制御手段とを備え、前記制御手段は、前記記録媒体検知手段の検知結果を参照し、該リムーバブルディスクドライブ装置内に記録媒体が装着されている場合には、該リムーバブルディスクドライブ装置を稼働状態に制御し、該リムーバブルディスクドライブ装置内に記録媒体が装着されていない場合には、該リムーバブルディスクドライブ装置を待機状態に制御する、ことを特徴とするリムーバブルディスクドライブ装置である。
【００１６】
この発明で、制御手段は、記録媒体検知手段による記録媒体装着有無の検知結果を参照し、該リムーバブルディスクドライブ装置内に記録媒体が装着されている場合には、該リムーバブルディスクドライブ装置を稼働状態に制御し、該リムーバブルディスクドライブ装置内に記録媒体が装着されていない場合には、該リムーバブルディスクドライブ装置を待機状態に制御する。
【００１７】
この結果、記録媒体装着に応じて自動的な電源制御を行うことができ、記録媒体が装着されていない場合にはホストＰＣと接続されていても電力消費を生じさせないため、省電力を実現することができる。
【００１８】
（２）請求項２記載の発明は、他の機器との間でデータ転送と電力供給授受とがケーブルを介して可能に構成されたバスを備えたリムーバブルディスクドライブ装置であって、前記インタフェースを介した外部機器からの電力供給の有無を検知する電源供給検知手段と、該リムーバブルディスクドライブ装置内に記録媒体が装着されているか否かを検知する記録媒体検知手段と、各部の動作状態を制御する制御手段とを備え、前記制御手段は、前記電力供給検知手段の検知結果と前記記録媒体検知手段の検知結果とを参照し、前記インタフェースを介して外部機器から電力供給が可能な状態になっており、該リムーバブルディスクドライブ装置内に記録媒体が装着されている場合には、該リムーバブルディスクドライブ装置を稼働状態に制御し、前記インタフェースを介して外部機器から電力供給が可能な状態なっていない場合には、該リムーバブルディスクドライブ装置を待機状態に制御し、該リムーバブルディスクドライブ装置内に記録媒体が装着されていない場合には、該リムーバブルディスクドライブ装置を待機状態に制御する、ことを特徴とするリムーバブルディスクドライブ装置である。
【００１９】
この発明で、制御手段は、電力供給検知手段の検知結果と記録媒体検知手段の検知結果とを参照し、前記インタフェースを介して外部機器から電力供給が可能な状態になっており、該リムーバブルディスクドライブ装置内に記録媒体が装着されている場合には、該リムーバブルディスクドライブ装置を稼働状態に制御する。また、前記インタフェースを介して外部機器から電力供給が可能な状態なっていない場合、あるいは、該リムーバブルディスクドライブ装置を待機状態に制御し、該リムーバブルディスクドライブ装置内に記録媒体が装着されていない場合には、該リムーバブルディスクドライブ装置を待機状態に制御する。
【００２０】
この結果、ホストＰＣなどの外部機器の状態と記録媒体装着状態とに応じて自動的な電源制御を行うことができ、記録媒体が装着されていない場合にはホストＰＣと接続されていても電力消費を生じさせないため、省電力を実現することができる。
【００２１】
（３）請求項３記載の発明は、前記バスによりデータ転送を行うためのインタフェース回路を備え、前記制御手段は、該リムーバブルディスクドライブ装置を稼働状態にする際には前記インタフェース回路を動作状態にし、該リムーバブルディスクドライブ装置を待機状態にする際には前記インタフェース回路を停止状態にする、ことを特徴とする請求項１または請求項２のいずれかに記載のリムーバブルディスクドライブ装置である。
【００２２】
この発明では、上記（１）または（２）において、バスによりデータ転送を行うためのインタフェース回路を備え、制御手段は、該リムーバブルディスクドライブ装置を稼働状態にする際にはインタフェース回路を動作状態にし、該リムーバブルディスクドライブ装置を待機状態にする際にはインタフェース回路を停止状態にする。
【００２３】
この結果、ホストＰＣなどの外部機器からは、記録媒体が装着されている状態ではリムーバブルディスクドライブ装置を認識することができ、記録媒体が装着されていない状態ではリムーバブルディスクドライブ装置を認識されない状態になる。
【００２４】
従って、リムーバブルディスクドライブ装置の自動的な電源制御を行うことができるだけでなく、ホストＰＣ側でも使用時のみリムーバブルディスクドライブ装置を認識できるようになる。
【００２５】
（４）請求項４記載の発明は、前記記録媒体に設けられた書き込み許可／禁止ノッチの状態を検出する書き込み可否状態検出手段を備え、前記制御手段は、前記記録媒体の装着の有無の検知として、前記書き込み可否状態検知手段の検知結果を用いる、ことを特徴とする請求項１乃至請求項３のいずれかに記載のリムーバブルディスクドライブ装置である。
【００２６】
このように書き込み可否状態検出手段を記録媒体検出手段として用いることで、記録媒体検出のための専用のセンサが不要になり、制御手段のポートを節減した状態で記録媒体装着有無に応じた電源制御を行うことが可能になる。
【００２７】
【発明の実施の形態】
以下、図面を参照して本発明の実施の形態例を詳細に説明する。なお、以下の実施の形態例では、コンピュータ（ホストＰＣ）などの他の機器との間でデータ転送と電力供給授受とがケーブルを介して可能に構成されたバスを備えたリムーバブルディスクドライブ装置を具体例として説明する。
【００２８】
また、他の機器（ＰＣ）との間でデータ転送と電力供給授受とがケーブルを介して可能に構成されたバスとしては、ＵＳＢ（Ｕｎｉｖｅｒｓａｌ  Ｓｅｒｉａｌ  Ｂｕｓ）を具体例に用いて説明を行う。
【００２９】
図１は本発明の第１の実施の形態例の構成を示すブロック図である。この図１において、１０はリムーバブルディスクドライブ装置において挿抜可能な状態で扱える光磁気（ＭＯ）ディスクや光ディスクなどの記録媒体である。
【００３０】
１００は本実施の形態例のリムーバブルディスクドライブ装置であり、ＵＳＢインタフェースなどによりコンピュータ（ホストＰＣ）に接続されるＭＯドライブ装置などの周辺機器の一種である。
【００３１】
また、２００は、リムーバブルディスクドライブ装置１００とホストＰＣとを接続するインタフェースケーブルであり、３００はインタフェースケーブル２００によりリムーバブルディスクドライブ装置１００と接続されるホストＰＣ（パーソナルコンピュータ等）である。
【００３２】
なお、以上のリムーバブルディスクドライブ装置１００は、この図１のように接続することで、ＰＣ３００とリムーバブルディスクドライブ装置１００でのデータ転送と、ホストＰＣ３００からリムーバブルディスクドライブ装置１００への電力供給とを、インタフェースケーブル２００によって同時に行うことが可能に構成されている。また、図４に示したように、ＰＣ３００とリムーバブルディスクドライブ装置１００の間でＵＳＢインタフェースケーブル２００でデータ転送を行い、リムーバブルディスクドライブ装置１００の電力はＡＣアダプタ（図示せず）などの専用電源を接続することも可能である。
【００３３】
１０１はリムーバブルディスクドライブ装置１００の各部の動作状態を制御する制御手段であり、この制御手段１０１は、後述するように、電力供給検知手段の検知結果と記録媒体検知手段の検知結果とを参照し、インタフェースを介して外部機器から電力供給が可能な状態になっている場合には、該リムーバブルディスクドライブ装置を稼働状態に制御し、インタフェースを介して外部機器から電力供給が可能な状態なっていない場合には、該リムーバブルディスクドライブ装置を待機状態に制御し、更に、該リムーバブルディスクドライブ装置内に記録媒体が装着されている場合には、該リムーバブルディスクドライブ装置を稼働状態に制御し、該リムーバブルディスクドライブ装置内に記録媒体が装着されていない場合には、該リムーバブルディスクドライブ装置を待機状態に制御する。
【００３４】
１０２はセルフパワー方式として外部のＡＣアダプタなどの電源手段からの電力供給を受ける外部電源端子である。なお、この電源供給端子からリムーバブルディスクドライブ装置１００内部の各部に必要な電力を供給する電力供給手段１０４については周知のものであるため、省略してある。なお、外部電源端子１０２は、インタフェースケーブル２００を介した場合よりも大きな電力の供給を外部の電源手段から受けることが可能であることが望ましい。
【００３５】
１０３はバスパワー方式としてインタフェースケーブルを介して電力供給を受けることと、インタフェースケーブルを介してデータ転送することとがケーブルを介して可能に構成されたバス端子である。
【００３６】
１０４はリムーバブルディスクドライブ装置１００各部に電源供給を行う電源供給手段である。
【００３７】
１０５は、ホストＰＣ３００との間でデータ転送と電力供給授受とがインタフェースケーブル２００を介して可能に構成されている場合に、インタフェースケーブル２００を介したホストＰＣ３００からの電力供給の有無を検知する電源供給検知手段である。
【００３８】
１０６はインタフェースにおけるデータ転送を高速に行うための高速インタフェース回路である。この高速インタフェース１０６は、インタフェース端子１０３からの信号ラインを経由してデータ転送を行っている。
【００３９】
１０７はセンサであり、該リムーバブルディスクドライブ装置１００内に記録媒体１０が装着されているか否かを検知する記録媒体検知手段を構成している。なお、記録媒体１０に設けられた書き込み許可／禁止ノッチの状態を検出する書き込み可否状態検出手段用のセンサを、記録媒体検知手段として用いることも可能である。
【００４０】
１１０は光ディスクに対してリード／ライトする際に必要な信号処理を行う信号処理回路、１１１はリード／ライトする際のデータを一定の量だけ記憶しておくキャッシュメモリである。
【００４１】
１２０は光ディスクに対して光を用いてリード／ライトするための光ピックアップ、１２１は光ピックアップ１２０を光ディスクの所定のトラックにアクセスさせるためのフォーカス制御やトラッキング制御を行うＰＵ制御回路、１２２は光ピックアップ１２０でリード／ライトするためのリード／ライト回路である。
【００４２】
１３０は光ピックアップ１２０を光ディスクの所望のトラックにトラックジャンプしてアクセスさせるためのシーク動作を行うためのリニアモータ、１３１はリニアモータ１３０を制御するリニアモータ制御回路である。
【００４３】
１４０は光ディスクを回転駆動するスピンドルモータ１４０、１４１はスピンドルモータ１４０を所定の回転数で回転させる制御を行うスピンドルモータ制御回路である。
【００４４】
なお、以上の構成において、この制御手段１０１は、以下の▲１▼と▲２▼の制御を実行することを特徴としている。
【００４５】
制御▲１▼：電力供給検知手段１０５の検知結果とセンサ（記録媒体検知手段）１０７の検知結果とを参照し、インタフェースを介して外部機器から電力供給が可能な状態になっている場合には、該リムーバブルディスクドライブ装置１００を稼働状態に制御し、インタフェースを介して外部機器から電力供給が可能な状態なっていない場合には、該リムーバブルディスクドライブ装置１００を待機状態に制御する。
【００４６】
制御▲２▼：該リムーバブルディスクドライブ装置１００内に記録媒体１０が装着されている場合には、該リムーバブルディスクドライブ装置１００を稼働状態に制御し、該リムーバブルディスクドライブ装置１００内に記録媒体１０が装着されていない場合には、該リムーバブルディスクドライブ装置１００を待機状態に制御する。
【００４７】
ここで、図２のフローチャートを参照して、本実施の形態例のリムーバブルディスクドライブ装置１００の動作説明を行う。ここでは、リムーバブルディスクドライブ装置１００にはＡＣアダプタ（図示せず）などから電源供給がなされており、制御手段１０１の制御によって動作が可能になっている状態であるものとして説明を行う。
【００４８】
制御手段１０１は、まず、電源供給手段１０４からの電源供給を受けて動作を開始し、リムーバブルディスクドライブ装置１００の各部を初期化する（図２Ｓ１）。また、この段階では、リムーバブルディスクドライブ装置１００の各部を「待機モード」として最低限の部位のみを低速の動作クロックで動作させる。すなわち、インタフェース回路１０６や信号処理回路１１０などを停止させておく。また、光ピックアップ１２０やスピンドルモータ１４０およびそれらの制御回路なども停止させておく。なお、電源供給手段１０４と電源供給検知手段１０５とは動作させておく。また、制御手段１０１はセンサ１０７の状態監視は実行しておく。このような待機モードの動作により、消費電力は最低限の状態になっている。
【００４９】
ここで、制御手段１０１は、電力供給検知手段１０５の検知結果を参照し、インタフェースを介してホストＰＣ３００から電力供給が可能な状態になっているかを調べる（図２Ｓ３）。なお、このインタフェース内の電源供給用のピンをＶＢＵＳと呼ぶことにする。
【００５０】
ここで、ＶＢＵＳがオフ（図２Ｓ３でＯＦＦ）であれば、ホストＰＣ３００が動作状態にないことを意味しているので、制御手段１０１はリムーバブルディスクドライブ装置１００の待機モードを維持する。
【００５１】
ここで、ＶＢＵＳがオン（図２Ｓ３でＯＮ）であれば、ホストＰＣ３００が動作状態になっていることを意味しているので、制御手段１０１はリムーバブルディスクドライブ装置１００内に記録媒体１０が装着されているか否かを調べる（図２Ｓ４）。
【００５２】
ここで、記録媒体１０が装着されていなければ（図２Ｓ４で無）、ホストＰＣ３００が動作状態にあるものの、リムーバブルディスクドライブ装置１００が動作状態になっていないことを意味しているので、制御手段１０１はリムーバブルディスクドライブ装置１００の待機モードを維持する。
【００５３】
そして、電力供給検知手段１０５の検知結果と記録媒体検知手段１０７の検知結果とを参照し、インタフェースを介してホストＰＣ３００から電力供給が可能な状態になっており（図２Ｓ３でＯＮ）、該リムーバブルディスクドライブ装置１００内に記録媒体１０が装着されている（図２Ｓ４で有）場合には、ホストＰＣ３００が動作状態にあり、かつ、リムーバブルディスクドライブ装置１００が動作状態になっていることを意味しているので、制御手段１０１は、該リムーバブルディスクドライブ装置を稼働状態に移行させる制御を実行する。
【００５４】
そして、リムーバブルディスクドライブ装置１００では、ホストＰＣ３００側からの指示に基づいて、通常の記録媒体のリード／ライトの動作を実行する（図２Ｓ６）。この際に制御手段１０１は、リムーバブルディスクドライブ装置１００の各部を「稼働モード」として全体を通常の動作クロックで動作させている。このような稼働モードの動作により、消費電力は通常の定格の状態になっている。
【００５５】
また、この制御手段１０１の制御によって稼働モードになったリムーバブルディスクドライブ装置１００では、インタフェース回路１０６がホストＰＣ３００と通信を開始することにより、ホストＰＣ３００側にリムーバブルディスクドライブ装置１００が認識されることとなる。
【００５６】
すなわち、ホストＰＣ３００側のディスプレイにリムーバブルディスクドライブ装置１００のアイコンが表示されることとなる。このため、リムーバブルディスクドライブ装置１００に記録媒体１０を装着して、実際に記録媒体１０のリード／ライトの動作を行う際になって、ホストＰＣ３００側にリムーバブルディスクドライブ装置１００が認識されるため、多数のドライブ装置を接続しているような場合であっても誤認識が発生しにくくなる。
【００５７】
この稼働モードにおいても、制御手段１０１は、電力供給検知手段１０５の検知結果を参照し、インタフェースのＶＢＵＳを介してホストＰＣ３００から電力供給が可能な状態になっているかを調べる（図２Ｓ７）。
【００５８】
ここで、電力供給検知手段１０５の検知結果と記録媒体検知手段１０７の検知結果とを参照し、インタフェースを介してホストＰＣ３００から電力供給が可能な状態になっており（図２Ｓ７でＯＮ）、該リムーバブルディスクドライブ装置１００内に記録媒体１０が装着されている（図２Ｓ９で有）場合には、ホストＰＣ３００が動作状態にあり、かつ、リムーバブルディスクドライブ装置１００が動作状態になっていることを意味しているので、制御手段１０１は、該リムーバブルディスクドライブ装置の稼働状態を維持する。
【００５９】
また、ここで、ＶＢＵＳがオフ（図２Ｓ７でＯＦＦ）になっていれば、ホストＰＣ３００が動作状態になくなったことを意味しているので、制御手段１０１は、スピンダウン処理により記録媒体１０を停止させる（図２Ｓ８）。そして、制御手段１０１はリムーバブルディスクドライブ装置１００のインタフェース回路１０６を停止させる（図２Ｓ１０）ことで、待機モードに移行させる。
【００６０】
そして、ここで、ＶＢＵＳがオン（図２Ｓ７でＯＮ）であれば、制御手段１０１はリムーバブルディスクドライブ装置１００内に記録媒体１０が装着されているか否かを調べる（図２Ｓ９）。
【００６１】
さらに、ここで、イジェクトなどによって記録媒体１０が装着されていない状態になっていれば（図２Ｓ９で無）、ホストＰＣ３００が動作状態にあるものの、リムーバブルディスクドライブ装置１００が動作状態になっていないことを意味しているので、制御手段１０１はリムーバブルディスクドライブ装置１００のインタフェース回路１０６を停止させる（図２Ｓ１０）ことで、待機モードに移行させる。
【００６２】
また、この制御手段１０１の制御によって待機モードになったリムーバブルディスクドライブ装置１００では、インタフェース回路１０６が停止することにより、ホストＰＣ３００側が動作状態にあっても、ホストＰＣ３００側にリムーバブルディスクドライブ装置１００が認識されない状態になる。
【００６３】
すなわち、ホストＰＣ３００側のディスプレイからリムーバブルディスクドライブ装置１００のアイコンが消滅することとなる。このため、リムーバブルディスクドライブ装置１００から記録媒体１０を取り外して、リムーバブルディスクドライブ装置１００を使用しない状況になって、ホストＰＣ３００側にリムーバブルディスクドライブ装置１００が認識されなくなるため、多数のドライブ装置を接続しているような場合であっても誤認識が発生しにくくなる。
【００６４】
以上のような実施の形態例の動作の結果、ホストＰＣなどの外部機器の状態と記録媒体装着状態とに応じて自動的な電源制御を行うことができ、記録媒体が装着されていない場合にはホストＰＣと接続されていても電力消費を生じさせないため、省電力を実現することができる。
【００６５】
なお、リムーバブルディスクドライブ装置１００内に、記録媒体１００に設けられた書き込み許可／禁止ノッチの状態を検出する書き込み可否状態検出手段としてのセンサを備えている場合、制御手段１０１は、記録媒体１００の装着の有無の検知として、書き込み可否状態検知手段の検知結果を用いる、ことが可能である。すなわち、書き込み可否状態検出手段としてのセンサが、書き込み許可あるいは書き込み禁止のいずれかの状態を検出すれば、それによって制御手段１０１は記録媒体１０の装着を認識することができる。
【００６６】
このように書き込み可否状態検出手段を記録媒体検出手段のセンサとして用いることで、記録媒体検出のための専用のセンサが不要になり、制御手段１０１のポートを節減した状態で記録媒体装着有無に応じた電源制御を行うことが可能になる。
【００６７】
また、他の機器との間でデータ転送と電力供給授受とがケーブルを介して可能に構成されたバスとして、ＵＳＢを具体例にしたが、ＩＥＥＥ１９４３などの他のインタフェースに適用することも可能である。
また、挿抜可能な状態で扱える光磁気（ＭＯ）ディスクや光ディスクなどに限られず、各種のリムーバブルディスクを用いるリムーバブルディスクドライブ装置に本実施の形態例を適用することが可能である。
【００６８】
【発明の効果】
以上、実施の形態例により詳細に説明したように、本発明では、以下に述べるような効果が得られる。
【００６９】
（１）請求項１記載の発明では、制御手段は、記録媒体検知手段による記録媒体装着有無の検知結果を参照し、該リムーバブルディスクドライブ装置内に記録媒体が装着されている場合には、該リムーバブルディスクドライブ装置を稼働状態に制御し、該リムーバブルディスクドライブ装置内に記録媒体が装着されていない場合には、該リムーバブルディスクドライブ装置を待機状態に制御する。
【００７０】
この結果、記録媒体装着に応じて自動的な電源制御を行うことができ、記録媒体が装着されていない場合にはホストＰＣと接続されていても電力消費を生じさせないため、省電力を実現することができる。
【００７１】
（２）請求項２記載の発明では、制御手段は、電力供給検知手段の検知結果と記録媒体検知手段の検知結果とを参照し、インタフェースを介して外部機器から電力供給が可能な状態になっており、該リムーバブルディスクドライブ装置内に記録媒体が装着されている場合には、該リムーバブルディスクドライブ装置を稼働状態に制御する。また、前記インタフェースを介して外部機器から電力供給が可能な状態なっていない場合、あるいは、該リムーバブルディスクドライブ装置を待機状態に制御し、該リムーバブルディスクドライブ装置内に記録媒体が装着されていない場合には、該リムーバブルディスクドライブ装置を待機状態に制御する。
【００７２】
この結果、ホストＰＣなどの外部機器の状態と記録媒体装着状態とに応じて自動的な電源制御を行うことができ、記録媒体が装着されていない場合にはホストＰＣと接続されていても電力消費を生じさせないため、省電力を実現することができる。
【００７３】
（３）請求項３記載の発明では、上記（１）または（２）において、バスによりデータ転送を行うためのインタフェース回路を備え、制御手段は、該リムーバブルディスクドライブ装置を稼働状態にする際にはインタフェース回路を動作状態にし、該リムーバブルディスクドライブ装置を待機状態にする際にはインタフェース回路を停止状態にする。
【００７４】
この結果、ホストＰＣなどの外部機器からは、記録媒体が装着されている状態ではリムーバブルディスクドライブ装置を認識することができ、記録媒体が装着されていない状態ではリムーバブルディスクドライブ装置を認識されない状態になる。従って、リムーバブルディスクドライブ装置の自動的な電源制御を行うことができるだけでなく、ホストＰＣ側でも使用時のみリムーバブルディスクドライブ装置を認識できるようになる。
【００７５】
（４）請求項４記載の発明では、書き込み可否状態検出手段を記録媒体検出手段として用いることで、記録媒体検出のための専用のセンサが不要になり、制御手段のポートを節減した状態で記録媒体装着有無に応じた電源制御を行うことが可能になる。
【図面の簡単な説明】
【図１】本発明の実施の形態例のリムーバブルディスクドライブ装置の電気的な構成を示す機能ブロック図である。
【図２】本発明の実施の形態例における動作状態を示すフローチャートである。
【図３】バスパワー方式の接続を説明するための説明図である。
【図４】セルフパワー方式の接続を説明するための説明図である。
【符号の説明】
１００  リムーバブルディスクドライブ装置
１０１  制御手段
１０２  外部電源端子
１０３  インタフェース端子
１０４  電力供給手段
１０５  電力供給検知手段
１０６  インタフェース回路
１０７  センサ（記録媒体検知手段）
１１０  信号処理回路
１１１  キャッシュメモリ
１２０  光ピックアップ
１２１  ＰＵ制御回路
１２２  リード／ライト回路
１３０  リニアモータ
１３１  リニアモータ制御回路
１４０  スピンドルモータ
１４１  スピンドルモータ制御回路
【図１】
2004152344.tif 000003
【図２】
2004152344.tif 000004
【図３】
2004152344.tif 000005
【図４】
2004152344.tif 000006